(57)【要約】      （修正有）【課題】圧縮移動相クロマトグラフィのためのフレームベース検出方法を提供する。【解決手段】超臨界流体クロマトグラフィなど、二酸化炭素ベースクロマトグラフィにおいて、クロマトカラムをフレームイオン化検出器内側バーナに適合させる。クロマトカラムを提供するステップと、クロマトカラムに最適な移動相流量を決定するステップと、カラムの内径および流量と組み合わせられて最適な検出器性能をもたらす内側バーナの最適な内径を計算するステップと、計算された最適な内径と実質的に等しい内径を有するフレームイオン化検出器内側バーナを提供するステップと、を含む。【選択図】図１Ａ
2015206787.tif 000002
【特許請求の範囲】
【請求項１】
クロマトカラムをＦＩＤ内側バーナに適合させる方法であって、
（ｉ）内径を有するクロマトカラムを提供するステップと、
（ｉｉ）クロマトカラムに最適な移動相流量を決定するステップと、
（ｉｉｉ）カラムの内径および流量と組み合わせられて最適な検出器性能をもたらす、内側バーナの最適な内径を計算するステップと、
（ｉｖ）計算された最適な内径と実質的に等しい内径を有するＦＩＤ内側バーナを提供するステップと、
を含む方法。
【請求項２】
ＦＩＤ内側バーナを提供するステップが、計算された最適な内径の±５０％以内の内径を有する市販のＦＩＤ内側バーナを選択するステップを含む、請求項１に記載の方法。
【請求項３】
適合したクロマトカラムおよびＦＩＤ内側バーナが、クロマトカラムおよびＦＩＤ内側バーナを含むクロマトグラフィシステム内のフレームベース検出器の応答を最適化するために必要な時間を短縮する、請求項１に記載の方法。
【請求項４】
最適な移動相流量が、クロマトカラムに対するファンディームターの式によって決定される最も低い最小プレート高を有する流量である、請求項１に記載の方法。
【請求項５】
ＦＩＤ内側バーナの最適な内径が、数式２による計算値にほぼ等しく、
【数１】
2015206787.tif 000007
ここでｄはｍｍ単位のＦＩＤ内側バーナの内径、およびμはｍＬ／ｍｉｎ単位の減圧された最適な移動相流量である、請求項１に記載の方法。
【請求項６】
移動相が二酸化炭素を含む、請求項１に記載の方法。
【請求項７】
移動相がヘリウムまたは窒素を含む、請求項１に記載の方法。
【請求項８】
クロマトカラムの内径が、約０．０５ｍｍから約５０．０ｍｍの間である、請求項１に記載の方法。
【請求項９】
ＦＩＤ内側バーナの内径が、約０．１ｍｍから約１３．０ｍｍの間である、請求項１に記載の方法。
【請求項１０】
ＦＩＤ内側バーナの内径が、約０．５ｍｍから約５．０ｍｍの間である、請求項９に記載の方法。
【請求項１１】
ＦＩＤ内側バーナの内径が、約０．１ｍｍから約１．０ｍｍの間である、請求項９に記載の方法。
【請求項１２】
フレームベース検出器の固定ＦＩＤ外側バーナの中にＦＩＤ内側バーナを装着するステップをさらに含む、請求項１に記載の方法。
【請求項１３】
クロマトグラフィシステム内のフレームイオン化検出の方法であって、
（ｉ）移動相流量に対応する異なるサイズを各々が有する複数の内側バーナを収容する固定外側バーナを有するフレームイオン化検出器を提供するステップと、
（ｉｉ）１つ以上の移動相流量を有するクロマトグラフィシステムと流体連通しているフレームイオン化検出器を配置するステップと、
（ｉｉｉ）移動相流量を選択するステップと、
（ｉｖ）選択された移動相流量に応えて内側バーナを選択するステップと、
を含む方法。
【請求項１４】
（ｉ）内径を有するクロマトカラムと、
（ｉｉ）内径を有する市販のＦＩＤ内側バーナと、
を含むキットであって、
ＦＩＤバーナ内径は最適な検出器性能をもたらすためにクロマトカラム内径に適合している、キット。
【請求項１５】
ＦＩＤ内側バーナが、計算された最適なＦＩＤ内径と実質的に等しい内径を有する、請求項１４に記載のキット。
【請求項１６】
ＦＩＤ内側バーナが、計算された最適なＦＩＤ内径の±５０％以内の内径を有する、請求項１５に記載のキット。
【請求項１７】
最適なＦＩＤ内径が、数式２による計算値にほぼ等しく、
【数２】
2015206787.tif 000008
ここでｄはｍｍ単位の内側バーナのＦＩＤ内径、およびμはｍＬ／ｍｉｎ単位のクロマトカラムの減圧された最適な移動相流量である、請求項１６に記載のキット。
【請求項１８】
最適な移動相流量が、クロマトカラムに対するファンディームターの式によって決定される最も低い最小プレート高を有する流量である、請求項１７に記載のキット。
【請求項１９】
移動相が二酸化炭素を含む、請求項１４に記載のキット。
【請求項２０】
移動相がヘリウムまたは窒素を含む、請求項１４に記載のキット。
【請求項２１】
クロマトカラムの内径が、約０．０５ｍｍから約５０．０ｍｍの間である、請求項１４に記載のキット。
【請求項２２】
ＦＩＤ内側バーナの内径が、約０．１ｍｍから約１３．０ｍｍの間である、請求項１４に記載のキット。
【請求項２３】
ＦＩＤ内側バーナの内径が、約０．５ｍｍから約５．０ｍｍの間である、請求項１４に記載のキット。
【請求項２４】
ＦＩＤ内側バーナの内径が、約０．１ｍｍから約１．０ｍｍの間である、請求項１４に記載のキット。
【請求項２５】
（ｉ）化学的または物理的特性に基づいて１つ以上のアナライトを分離することが可能なクロマトグラフィカラムと、
（ｉｉ）カラムの下流で流体連通して配置されたフレームイオン化検出器と、
を含むクロマトグラフィ装置であって、
フレームイオン化検出器は、移動相流量に対応する異なるサイズを各々が有する複数の内側バーナを収容する固定外側バーナを有する、クロマトグラフィ装置。
【発明の詳細な説明】
【技術分野】
【０００１】
本明細書は、参照によりその全体が本明細書に組み込まれる、２０１４年４月１７日出願の、「Ｆｌａｍｅ  Ｉｏｎｉｚａｔｉｏｎ  Ｄｅｔｅｃｔｉｏｎ  ｆｏｒ  Ｓｕｐｅｒｃｒｉｔｉｃａｌ  Ｆｌｕｉｄ  Ｃｈｒｏｍａｔｏｇｒａｐｈｙ  Ｅｍｐｌｏｙｉｎｇ  ａ  Ｍａｔｃｈｅｄ  Ｓｅｐａｒａｔｉｏｎ  Ｃｏｌｕｍｎ  ａｎｄ  Ｆｌａｍｅ  Ｂｕｒｎｅｒフレームフレームイオン」と題された米国特許仮出願第６１／９８０，６５２号明細書の優先権および恩典を主張する。
【０００２】
本開示は、圧縮移動相クロマトグラフィのためのフレームべースの検出方法に関する。具体的には、本開示は、超臨界流体クロマトグラフィ（ＳＦＣ）など、二酸化炭素ベースクロマトグラフィのためのフレームイオン化検出（ＦＩＤ）の動作に関する。
【背景技術】
【０００３】
超臨界流体クロマトグラフィにおけるフレームイオン化検出は、伝統的にガスクロマトグラフィ（ＧＣ）計器によって提供される。このような計器は、比較的低い移動相流量で動作するように設計されている。毛細管ＧＣカラムの標準的移動相流量は０．５〜１５ｍＬ／ｍｉｎであり、および充填ＧＣカラムの標準的流量は１０〜６０ｍＬ／ｍｉｎである。分析規模充填カラムＳＦＣは、はるかに多い移動相流量を生じる。減圧時に、ＳＦＣ移動相は、最大で２，５００ｍＬ／ｍｉｎまたはそれ以上の移動相流量を生じることが可能である。いくつかの用途において、検出器への流量を低下させるために流れが分割される。しかしながら流れの分割は感度に悪影響を及ぼし、変化する分割流値に関する量的変動性をもたらす。別の用途では、ＦＩＤバーナの直径は、安定したフレームを維持するために、バーナを通る減圧移動相流の線速度を低減するために修正されることが可能である。Ｋ．Ｂ．Ｔｈｕｒｂｉｄｅ，Ｓ．Ｇｉｌｂｅｒｔ．Ｃａｎａｄｉａｎ  Ｊｏｕｒｎａｌ  ｏｆ  Ｃｈｅｍｉｓｔｒｙ  ８２（２００４）４７９−４８２参照のこと。
【０００４】
クロマトカラムは、様々な異なる内径（ｉ．ｄ．）で入手可能である。その結果、クロマトカラムは様々な最適な移動相流量を有する。バーナ内径の修正または調整は簡単ではないので、安定したフレームを維持しながらＦＩＤ内でこれら様々な流量に適応することは困難である。最適な検出器感度を保証するためにＳＦＣ−ＦＩＤシステム内で分離カラム形状が変更されるたびに、検出器ハードウェア修正および長時間の最適化が実行されなければならない。名目上の、または最終的には最適化された検出器感度を提供するため、およびフレームの消滅を回避するために、バーナ径は適切な減圧移動相線速度を保証するためにカラム流量に適合しなければならない。
【先行技術文献】
【特許文献】
【０００５】
【非特許文献１】Ｃａｎａｄｉａｎ  Ｊｏｕｒｎａｌ  ｏｆ  Ｃｈｅｍｉｓｔｒｙ  ８２（２００４）４７９−４８２、Ｋ．Ｂ．Ｔｈｕｒｂｉｄｅ，Ｓ．Ｇｉｌｂｅｒｔ．
【発明の概要】
【発明が解決しようとする課題】
【０００６】
本開示は、圧縮移動相クロマトグラフィのためのフレームべースの検出方法に関する。具体的には、これは超臨界流体クロマトグラフィなど、二酸化炭素ベースクロマトグラフィのためのフレームイオン化検出の動作に関する。一態様において、本開示は、新しいカラムの装着後にＦＩＤを最適化するときに遭遇する複雑さを排除する、特定の分離カラムの最適な移動相流量のために最適化された形状を有するＦＩＤバーナを適合させる方法に関する。
【課題を解決するための手段】
【０００７】
一実施形態において、本開示は、クロマトカラムをＦＩＤ内側バーナに適合させる方法であって、（ｉ）内径を有するクロマトカラムを提供するステップと、（ｉｉ）クロマトカラムに最適な移動相流量を決定するステップと、（ｉｉｉ）カラムの内径および流量と組み合わせられて最適な検出器性能をもたらす内側バーナの最適な内径を計算するステップと、（ｉｖ）計算された最適な内径と実質的に等しい内径を有するＦＩＤ内側バーナを提供するステップと、を含む方法に関する。方法はさらに、フレームベース検出器の固定ＦＩＤ外側バーナの中にＦＩＤ内側バーナを装着するステップを含むことができる。
【０００８】
別の実施形態において、本開示は、クロマトグラフィシステム内のフレームイオン化検出の方法であって、（ｉ）移動相流量に対応する異なるサイズを各々が有する複数の内側バーナを収容する固定外側バーナを有するフレームイオン化検出器を提供するステップと、（ｉｉ）１つ以上の移動相流量を有するクロマトグラフィシステムと流体連通しているフレームイオン化検出器を配置するステップと、（ｉｉｉ）移動相流量を選択するステップと、（ｉｖ）選択された移動相流量に応えて内側バーナを選択するステップと、を含む方法に関する。
【０００９】
別の実施形態において、本開示は、（ｉ）内径を有するクロマトカラムと、（ｉｉ）内径を有する市販のＦＩＤ内側バーナと、を含むキットであって、ＦＩＤバーナ内径は最適な検出器性能をもたらすためにクロマトカラム内径に適合している、キットに関する。
【００１０】
さらに別の実施形態において、本開示は、（ｉ）化学的または物理的特性に基づいて１つ以上のアナライトを分離することが可能なクロマトグラフィカラムと、（ｉｉ）カラムの下流で流体連通して配置されたフレームイオン化検出器と、を含むクロマトグラフィ装置であって、フレームイオン化検出器は、移動相流量に対応する異なるサイズを各々が有する複数の内側バーナを収容する固定外側バーナを有する、クロマトグラフィ装置に関する。
【００１１】
上記実施形態は、ＦＩＤ内側バーナが計算された最適な内径のプラスマイナス５０％以内の内径を有する市販のＦＩＤ内側バーナから選択されることが可能であるなど、以下の特徴のうちの１つ以上を含むことができる。最適な移動相流量は、クロマトカラムのファンディームターの式（ｖａｎ  Ｄｅｅｍｔｅｒ  Ｅｑｕａｔｉｏｎ）によって決定される最も低い最小プレート高を有する流量であってもよい。
【００１２】
本開示は、現在の装置および方法に対して多数の利点を提供する。たとえば、ＳＦＣシステムをガスクロマトグラフィフレームベース検出器に適合させることに関連する、不適合なカラムおよび内側バーナガス流の問題を解決する。適合したクロマトカラムおよびＦＩＤ内側バーナは、ＦＩＤの応答を最適化するために必要な時間を短縮することができる。これらは、ＦＩＤを含むＳＦＣシステムの方法開発の間にカラム径を変更する際に遭遇する複雑さを排除することもできる。本開示は、たとえば分離チャネルを収容するマイクロ流体デバイス、加熱可変流量制限器、およびＦＩＤバーナで利用されてもよいプラグアンドプレイの組み合わせの一例である。
【図面の簡単な説明】
【００１３】
【図１Ａ】交換可能なバーナを採用するＦＩＤ設計の概略図である。
【図１Ｂ】図１Ａのバーナが、より大きい内径（ｉ．ｄ．）カラムの使用を可能にするために、より大きいｉ．ｄ．のバーナ交換品と交換されている概略図である。
【図２】このような交換可能なバーナを採用するＦＩＤ設計の別の概略図である。
【図３】ＦＩＤ内側バーナｉ．ｄ．値対移動相流量の最小二乗線形回帰グラフである。
【発明を実施するための形態】
【００１４】
本開示は、圧縮移動相クロマトグラフィのためのフレームベースの検出方法に関する。具体的には、本開示は、超臨界流体クロマトグラフィなど、二酸化炭素ベースクロマトグラフィのためのフレームイオン化検出器の動作に関する。
【００１５】
一実施形態において、本開示は、クロマトカラムをＦＩＤ内側バーナに適合させる方法であって、（ｉ）内径を有するクロマトカラムを提供するステップと、（ｉｉ）クロマトカラムに最適な移動相流量を決定するステップと、（ｉｉｉ）カラムの内径および流量と組み合わせられて、最適な検出器性能、検出器感度、または最適な検出器応答をもたらす内側バーナの最適な内径を計算するステップと、（ｉｖ）計算された最適な内径と実質的に等しい内径を有するＦＩＤ内側バーナを提供するステップと、を含む方法に関する。
【００１６】
クロマトカラムは、圧縮移動相分離を実行するために使用される、当業者にとって周知のいずれのカラムであってもよい。たとえば、クロマトカラムは、ｉ．ｄ．が５０から５３０μｍ、長さが１から１０５ｍの範囲の壁塗布型開管カラム（たとえば、シリカ、金属、ポリマーなど、あるいは長いスプールの溶融シリカ管材で作られたマイクロ流体的な性質のもの）；ｉ．ｄ．が１から４．６ｍｍ、長さが５から２５ｃｍであって１から１０＋μｍの充填媒体が充填された充填カラム；従来の管（たとえば、金属またはガラス）または平面マイクロ流体デバイス（たとえば、シリカ、金属、ポリマーなど）のいずれかで作られた、充填微小カラム（たとえばｉ．ｄ．が８５から５００μｍ、長さが５から２５ｃｍであって１から１０＋μｍの媒体が充填されている）、であってもよい。
【００１７】
圧縮移動相クロマトグラフ技術は、ＳＦＣ、二酸化炭素ベースクロマトグラフィ、ＧＣ、および溶媒和ＧＣを含む、当業者にとって周知のいずれの技術であってもよい。たとえば、本開示の技術は、調製用、半調製用、分析用、または毛細管規模の充填層カラムまたは開管カラムを用いて動作するＳＦＣシステムに適応することができる。カラムは、従来の金属、溶融シリカ、またはポリマー管、あるいは金属、セラミック、またはポリマーマイクロ流体プラットフォームで用意されることが可能である。
【００１８】
いくつかの実施形態において、本開示は、固定ＦＩＤ台へのマイクロ流体デバイスの組み込み（すなわち、マイクロ流体開管ＧＣカラム、マイクロ流体充填ＧＣカラム、またはマイクロ流体ＳＦＣカラムを検出器の同じレセプタクルに挿入すること）に適している。別の実施形態において、本開示は、より大きいＳＦＣシステムからの分割脚部が取り付けられる搬送ラインに過ぎないマイクロ流体デバイスに関する。本開示はまた、分離カラムおよびバーナが単一のマイクロ流体デバイスの一部である実施形態にも関する。
【００１９】
圧縮移動相は、二酸化炭素を含むクロマトグラフィを実行するために使用される、当業者にとって周知のいずれの圧縮移動相も含むことができる。いくつかの実施形態において、移動相は、二酸化炭素、水、アルゴン、窒素、ヘリウム、水素、様々なＣＦＣ、フッ化炭素、ＳＦ６、Ｎ２Ｏ、またはこれらの組み合わせを含有することができる。特定の実施形態において、移動相は、たとえばメタノールが移動相に導入されてもよいなど、添加剤または改質剤を含む。
【００２０】
クロマトカラムの内径は、約０．０５ｍｍから約５０．０ｍｍの間で異なってもよい。具体的には、内径は約０．１５ｍｍから約５．０ｍｍの間で異なってもよい。クロマトカラムの最適な移動相流量は用途に応じて異なってもよく、たとえばこれは最良の分離（たとえば、１つ以上の危険対の間の最適な分解能）、最速の分離（たとえば、最短時間での対称化合物の基準線分解能）などを提供する移動相流量であってもよい。本明細書において使用される際に、用語「最適」は、特定の条件のために測定、計算、または理論化された変数または項の値の約５０％、または約４０％、または約３０％、または約２０％、または約１０％、または約５％以内の、変数または項の測定結果を記述するために使用される。最適な移動相流量を決定または予測する方法の１つは、クロマトカラムに対するファンディームターの式、および場合に応じてシステム条件によって決定される、最も低い最小プレート高を有する流量を計算することである。
【００２１】
いくつかの実施形態において、ファンディームターの式によって決定された最小プレート高よりも早い流量で動作することが望ましい。より短時間で分離を達成するために、わずかなクロマトグラフ効率が犠牲になる可能性がある。最適な流量は、ファンディームターの式によって最小プレート高を有すると決定された流量の乗数であってもよい。乗数は、ファンディームターの式によって決定された最小プレート高の０．８、０．９、１．０、１．１、１．２、１．３、１．４、１．５、１．６、１．７、１．８、１．９、２．０、２．１、２．２、２．３、２．４、２．５、２．６、２．７、２．８、２．９または３．０倍であってもよい。これらの値はまた、約０．９から約２．０などの範囲を定義するために使用されることも可能である。別の実施形態において、乗数は、約１．０１倍から約３．０倍速い、または約１．５倍から約３．０倍速い範囲であってもよい。
【００２２】
一実施形態において、カラム径変更による最適な流れの変化は、直径を二乗することによって予測されることが可能である。たとえば、
【００２３】
【数１】
2015206787.tif 000003
【００２４】
このため、１ｍｍから２ｍｍ内径へのカラムの拡大は流れにおいておよそ４倍の増加をもたらすだろう。
【００２５】
内側バーナの最適な内径の計算は、カラムの内径および流量と組み合わせられたときに最適な検出器性能、最適な検出器感度、最適な検出器応答、またはこれらのいずれかの組み合わせを生じるものであってもよい。たとえば、ＦＩＤ内側バーナの最適な内径は、数式２による計算値にほぼ等しくなるように計算されることが可能である。
【００２６】
【数２】
2015206787.tif 000004
ここでｄはｍｍ単位のＦＩＤ内側バーナの内径、およびμはｍＬ／ｍｉｎ単位の減圧された最適な移動相流量である。
【００２７】
内側バーナの内径は、約０．１ｍｍから約１３．０ｍｍの間で異なってもよい。具体的には、内径は約０．５ｍｍから５．０ｍｍ（ＳＦＣで一般的）、または約０．１ｍｍから約１．０ｍｍ（ＧＣで一般的）の間で異なってもよい。内側バーナは、計算された最適な内径にほぼ等しい内径を有することができる。内側バーナは、計算された最適な、または測定された内径の約±５０％、±４０％、±３０％、±２０％、±１０％、または±５％の範囲内の内径を有することができる。一実施形態において、内側バーナは市販のＦＩＤ内側バーナであってもよい。市販のＦＩＤ内側バーナは、計算された最適な、または測定された内径の約±４０％、±３０％、±２０％、±１０％、または±５％の範囲内の内径を有することができる。
【００２８】
本開示の方法はさらに、フレームベース検出器の固定ＦＩＤ外側バーナの中にＦＩＤ内側バーナを装着するステップを含む。適合したクロマトカラムおよびＦＩＤ内側バーナは、クロマトグラフィシステム内のフレームベース検出器の応答を最適化するために必要な時間を短縮することができる。適合クロマトカラムおよびＦＩＤ内側バーナはカラムおよび内側バーナの組み合わせであってもよく、内側バーナのｉ．ｄ．は、最適な検出器性能、最適な検出器感度、最適な検出器応答、またはこれらのいずれかの組み合わせをもたらすために、本明細書において提供される最適値または測定値の５０％以内である。
【００２９】
本開示はまた、クロマトグラフィシステム内のフレームイオン化検出の方法であって、（ｉ）移動相流量に対応する異なるサイズを各々が有する複数の内側バーナを収容する固定外側バーナを有するフレームイオン化検出器を提供するステップと、（ｉｉ）１つ以上の移動相流量を有するクロマトグラフィシステムと流体連通しているフレームイオン化検出器を配置するステップと、（ｉｉｉ）移動相流量を選択するステップと、（ｉｖ）選択された移動相流量に応えて内側バーナを選択するステップと、を含む方法にも関する。
【００３０】
本開示はまた、（ｉ）内径を有するクロマトカラムと、（ｉｉ）内径を有する市販のＦＩＤ内側バーナと、を含むキットであって、ＦＩＤバーナ内径は最適な検出器性能、最適な検出器感度、または最適な検出器応答をたらすためにクロマトカラム内径に適合している、キットにも関する。
【００３１】
本開示はまた、（ｉ）化学的または物理的特性に基づいて１つ以上のアナライトを分離することが可能なクロマトグラフィカラムと、（ｉｉ）カラムの下流で流体連通して配置されたフレームイオン化検出器と、を含むクロマトグラフィ装置であって、フレームイオン化検出器は、移動相流量に対応する異なるサイズを各々が有する複数の内側バーナを収容する固定外側バーナを有する、クロマトグラフィ装置にも関する。
【００３２】
一実施形態において、本開示は、使用するクロマトグラフィカラムおよびＦＩＤ内側バーナ構成の組み合わせの選択において、研究者またはクロマトグラフィ技術者を支援する方法に関する。いくつかの状況において、カラム径は移動相流量を決定づけ、移動相流量はＦＩＤバーナサイズを決定づける。３．０ｍｍｉの．ｄ．を有する分析カラムなど、特定のカラムが選択されるとき、このカラムに結合された適切なサイズのＦＩＤバーナも選択、推奨、または提供される。クロマトカラムへの適合した内側バーナの提供、または検出器へのインターフェースの提供は、時間を節約する。インターフェースは、潜在分流Ｔ字管、流量制限器、およびバーナを含む、必要なハードウェアをすべて含むことができる。
【００３３】
いくつかの実施形態において、周知の最適化手順が用いられることも可能である。たとえば、バーナの内部への搬送ラインの配置は、固定されることが可能である。搬送ラインは、その中をカラム溶出液が移動する流量制限器である。このラインは、バーナが変更されたときにこの変数を消去するために、内側の交換可能なバーナの中に固定されることが可能である。このラインの配置は、検出器性能に影響を及ぼす可能性がある。流量制限器先端がバーナの上部に近すぎる場合、移動相は安定した線速度を減圧、膨張、および達成するのに十分な時間がないかも知れない。流量制限器先端からバーナの上部までの適切な距離は、移動相と水素燃焼ガスとの十分な混合を提供する距離である。流量制限器先端からバーナの上部までの距離は、約０ｍｍから約５０ｍｍであってもよい。具体的には、流量制限器先端の固定距離は、約０、２、４、６、８、１０、１２、１４、１６、１８、２０、２２、２４、２６、２８、３０、３２、３４、３６、３８、４０、４２、４４、４６，４８、または５０ｍｍであってもよい。これらの値はまた、約２０から４０ｍｍの間などの範囲を定義するために使用されることも可能である。
【００３４】
カラム径を変更する（たとえば移動相流量を変更する）ときに調整可能なその他の因子は、バーナからコレクタ電極までの距離の調整を含む。たとえば、大きいカラムは大きいバーナを必要とする。大きいバーナは、バーナとコレクタとの間に広い空間を必要とする大きい炎に適合することができる。バーナの上部とコレクタとの間には十分な間隔が必要とされる。炎が大きすぎると、コレクタに接触して検出器を「短絡」し、応答の飽和を引き起こす。フレームのサイズは、移動相流量およびバーナ径の両方に依存する。これらのパラメータの値に基づいて、バーナからコレクタ電極までの距離が決定可能である。バーナの上部とコレクタとの間の間隔は、約１ｍｍから約３０ｍｍである。具体的には、バーナの上部とコレクタとの間の間隔は、約１、２、４、６、８、１０、１２、１４、１６、１８、２０、２２、２４、２６、２８、または３０ｍｍであってもよい。これらの値はまた、約１０から２０ｍｍの間などの範囲を定義するために使用されることも可能である。
【００３５】
伝統的に、ガスクロマトグラフィは、広範なカラム流量に適合する単一バーナ設計を用いて実行される。必要に応じて、窒素メイクアップガスがカラムの下流の移動相ストリームに頻繁に導入される。このメイクアップガスは、バーナ径が最適な検出器応答を提供するには移動相流量が低すぎるときに、導入される。理想的には、メイクアップガスは、移動相流量とメイクアップガスとの合計が、ＦＩＤバーナが最適化される最大可能な移動相流量に等しくなるように、追加される。
【００３６】
いくつかの用途において、圧縮移動相を用いるクロマトグラフ技術はメイクアップガスを必要としない。減圧時に、これらの技術は伝統的なガスクロマトグラフィよりも１０〜１００倍以上速い移動相流量を有する。ＦＩＤ内への移動相流を減少させる方法の１つは、分流アダプタを使用することである。分流を用いると、移動相は、主要な移動相流ストリームと比較して、低い流量でＦＩＤに導入される。これらの低移動相流量は、伝統的なＧＣ流量に匹敵するか、または伝統的なＧＣ移動相流量よりも速い値に設定される。別の用途では、これらの技術はメイクアップガスを使用する。いくつかの分離において、１：１の比率でのメイクアップガスとしての窒素の追加は、応答を２倍改善することができる。０：１から１：１の比率でのメイクアップガス（移動相へのメイクアップガス）の使用もまた、本開示において考えられる。
【００３７】
いくつかの実施形態において、分流比は、分離の間に制御、記録、および調整されることが可能である。移動相流量もまた、分離の間に測定されることが可能である。したがって、分流は、分離の間ずっと最適な検出器性能を維持するために、ＦＩＤに所定の移動相流量を送達するための運転の間に変更することが可能である。異なる分流比の値に曝された結果として溶出するアナライトへの検出器応答は、分流比に対応するその応答の比例的な増加または減少を示すことになる。分流比は、ＦＩＤ検出器から受信した信号を補正または正規化するために使用されることが可能である。
【００３８】
刊行物、特許、および特許出願を含むすべての参考文献の開示は、参照によりその全体が本明細書に明確に組み込まれる。
【００３９】
量、濃度、またはその他の値またはパラメータが範囲、好適な範囲、あるいは好適な上限値または好適な下限値のリストとして提供されたとき、範囲が個別に開示されているか否かにかかわらず、これはいずれかの上限または好適な値およびいずれかの下限または好適な値のいずれかの組み合わせから形成されるすべての範囲を具体的に開示するものと理解されるべきである。数値の範囲が本明細書に引用されているとき、別途明記されない限り、その範囲はその終点、および範囲内のすべての整数および小数を含むように意図される。本発明の範囲は、範囲を定義するときに引用される具体的な値に限定されるように意図されるものではない。
【００４０】
本発明は、以下の実施例においてさらに定義される。なお、これらの実施例は、本発明の好適な実施形態を示しているものの、例として示されるに過ぎないことは、理解されるべきである。
【００４１】
実施例１  交換可能なバーナを有するＦＩＤ設計
この実施例では、本開示の一態様、すなわち異なる移動相流量に対応する異なるサイズを有する多数の異なる内側バーナを収容することが可能な固定外側バーナを備えるＦＩＤを有するクロマトグラフィシステムに、注目する。
【００４２】
図１Ａおよび図１Ｂは、固定外側バーナ（１２）を有して交換可能な内側バーナ（１４）（１４０）を採用するＦＩＤ設計（１０）（１００）の概略図を示す。初期設定の下で（図１Ａ）、カラム溶出液（１６）を生成するために、２．１ｍｍのｉ．ｄ．を有するカラムが使用される。移動相流量は、約３００ｍＬ／ｍｉｎの減圧流とおおむね同等の、約０．６ｍＬ／ｍｉｎの高密度移動相である。カラム溶出液（１６）は、内側バーナ（１４）に侵入するときに流量制限器（１８）を通る。外側バーナ（１２）およびバーナ筐体は、０．５００インチの外径（ｏ．ｄ．）で０．４６０インチのｉ．ｄ．の、ステンレス鋼管材のピースである。内側バーナ（１４）（交換可能）は、０．２５０インチのｏ．ｄ．で０．０８５インチのｉ．ｄ．（３０）の、ステンレス鋼管材のピースである。ＦＩＤは、水素（２４）および空気（２６）の両方のための燃焼ガス入口を有する。ベスペルフェルールが、ガスシール（２８）として使用される。炎からの信号は、電位計（２２）に接続されたコレクタ電極（２０）を用いて捕捉される。
【００４３】
第二条件の下では（図１Ｂ）、４．６ｍｍのｉ．ｄ．を有する第二のカラムが使用される。約１．５ｍＬ／ｍｉｎの第二の移動相流量が使用される。内側バーナ（１４）は、０．２５０インチのｏ．ｄ．および０．１８８インチのｉ．ｄ．（１３０）を有する第二のステンレス鋼内側バーナ（１４０）と容易かつ迅速に交換される。大きいカラムｉ．ｄ．は、大きい流量と、炎および検出条件を最適化された状態で維持するための大ｉ．ｄ．内側バーナの必要性を、もたらす。
【００４４】
図２は、バーナ設計（２００）の別の概略図を示す。この設計において、ガスは、内側バーナ／カラム（２４０）アセンブリの迅速で容易な交換を可能にする、ガスシールを伴って通される。ガスは、たとえば約１．５ｍＬ／ｍｉｎなど、１〜３ｍＬ／ｍｉｎ以内の流量のＣＯ２であってもよい。カラム溶出液（１６）は、内側バーナ（２４０）に侵入するときに流量制限器（１８）を通る。バーナ／流量制限器／カラム装置は、水素ガスを供給する治具の中に挿入されることが可能である。内側バーナ（２４０）、ここでは１／４インチ×４．５ｍｍの内側バーナ（取り外し可能）が、コレクタ電極（２０）から適切な距離に配置されることが可能である。コレクタ電極は、セラミックアイソレータ（４０）によって保護される。外側バーナ（１２）、ここでは１／２インチ×０．４６０インチの外側バーナが、使用可能である。酸化剤（たとえば空気）（２６）は治具によって供給されることが可能であろう。ＦＩＤバーナ設計は、ヒータブロック（３８）も含む。
【００４５】
実施例２  ＦＩＤ内側バーナ内径の測定
この例では、本開示の別の態様、すなわちクロマトグラフシステムの周知のパラメータを用いた適切なサイズの内側バーナの決定に、注目する。
【００４６】
任意のクロマトグラフィカラムについて、ＦＩＤ内側バーナの内径は、以下の数式２によって推定される。
【００４７】
【数３】
2015206787.tif 000005
ここでｄはｍｍ単位のＦＩＤ内側バーナの内径、およびμはｍＬ／ｍｉｎ単位の減圧された最適な移動相流量である。数式２は、収集された以下の実験データから導かれた。５つのバーナの内径を検査した。０．２７９ｍｍのｉ．ｄ．および０．５０８ｍｍのｉ．ｄ．の内径を有する２つのバーナを、カラムを有していないアジレント（Ａｇｉｌｅｎｔ）６８９０Ａ  ＧＣ（流量制限を設けるためのシリカ管材のピースのみ）を用いて検査した。炎が不安定になるまで、移動相（Ｈｅ）流量を増加させた（対応する水素および空気流も）。炎が安定するまで移動相流量を低下させた。表中の流量は、安定した炎を呈する最大流量である。０．９６５ｍｍのｉ．ｄ．のバーナは、ＳＲＩモデル１１０ＦＩＤのバーナである。クロマトグラフシステム内の分流インターフェースを使用した（たとえば、３．０×１５０ｍｍ、１．８μｍＨＳＳ  Ｃ１８カラムを４０℃、１．５ｍＬ／ｍｉｎの１００％ＣＯ２、２５００ＰＳＩ  ＢＰＲ圧力で）。２μｇ／μＬでの二硫化炭素中のヘキサデカンの０．５μＬ注入を注入した。ＦＩＤに向けられた２０、４０、５０、１００、および２００ｍＬ／ｍｉｎの減圧ＣＯ２で実験を行った。安定したフレームで実証された最大流量は、２００ｍＬ／ｍｉｎであった。２．１５９ｍｍのｉ．ｄ．のバーナは、カスタム製作ＦＩＤへの全流インターフェースを採用する２．１×１５０ｍｍ、５ｕｍのＣ１８カラムを採用した。これは０．６ｍＬ／ｍｉｎの高密度ＣＯ２で運転された。４．５２６ｍｍのｉ．ｄ．のバーナは、同じカスタムシステム上で４．６×１５０ｍｍ、５ｕｍのＣ１８カラムを使用した。カラム流量は、１．５ｍＬ／ｍｉｎであった。２．１５９ｍｍのｉ．ｄ．および４．５２６ｍｍのｉ．ｄ．のバーナのその他の条件は、０．９６５ｍｍのｉ．ｄ．のバーナと同様であった。最後の２つは実証された最大流量付近であったが、しかしこれら２つのバーナ上で最大持続可能流を確立するための徹底的な実験は行わなかった。
【００４８】
【表１】
2015206787.tif 000006
【００４９】
図３は、上記データの最小二乗線形回帰グラフを示す。上記で決定された移動相流量を、対応するバーナ内径に対してプロットした。プロッティングおよび線形回帰は、ＭＳエクセルで行われた。
【００５０】
本開示は、その例示的実施形態を参照して具体的に図示および記載されてきたが、添付請求項によって網羅される本発明の範囲から逸脱することなく形状および詳細における様々な変更が成されてもよいことは、当業者によって理解されるだろう。
【符号の説明】
【００５１】
１０、１００  ＦＩＤ設計
１２  外側バーナ
１４、１４０、２４０  内側バーナ
１６  カラム溶出液
１８  流量制限器
２０  コレクタ電極
２２  電位計
２４  水素
２６  空気
２８  ガスシール
３０、１３０  内径
３８  ヒータブロック
４０  セラミックアイソレータ
２００  バーナ設計
【図１Ａ】
2015206787.tif 000009
【図１Ｂ】
2015206787.tif 000010
【図２】
2015206787.tif 000011
【図３】
2015206787.tif 000012
【外国語明細書】
2015206787000001.pdf